(57)【特許請求の範囲】
【請求項１】
コンクリート層５内に介在される目地材１０であって、緩衝材からなる目地本体１０ａの側面のみにその全域に亘って保形層１０ｂを一体接合して形成したことを特徴とする目地材。
【請求項２】
請求項１記載の目地材１０であって、その目地本体１０ａと保形層１０ｂが同質の発泡樹脂からなって、目地本体１０ａの発泡倍率を保形層１０ｂのそれより大きくしたことを特徴とするもの。
【請求項３】
請求項１記載の目地材１０であって、その目地本体１０ａと保形層１０ｂを硬度の異なる異質の樹脂から成したことを特徴とするもの。
【請求項４】
請求項１記載の目地材１０であって、その目地本体１０ａを発泡樹脂、保形層１０ｂを金属板、無機質板又は硬質樹脂板によりそれぞれなしたことを特徴とするもの。
【請求項５】
陸屋根１の床部防水層３ａに続き、床部２からの立ち上がり部４にも防水層３ｂを形成し、床部２の防水層３ａ上に押え材層５を形成した陸屋根１の防水構造であって、下記の点▲１▼を特徴とするもの。
▲１▼上記立ち上がり防水層３ｂ下部と上記押え材層５の間に請求項１乃至請求項４のいずれか１つに記載の目地材１０を介在する。
【発明の詳細な説明】
【０００１】
【発明の属する技術分野】
この発明は、パラペットや屋上塔屋などの陸屋根形部の防水構造において、その床部防水層の押え材層としてのコンクリート層に介在される目地材に関するものである。
【０００２】
【従来の技術】
陸屋根床部の防水構造には、例えば図１１に示すように、陸屋根３１における床部コンクリート層３２上にアスファルト等の防水層３３ａを形成するとともに、この防水層３３ａに続きパラペット（立ち上がり壁）３４の内側面にも防水層３３ｂを形成してその上端を押え金物３５で止め、防水層３３ａ上面にコンクリート３６を打設してその押え材層を形成するとともに、防水層３３ｂ前面にはその遮光用耐水性ボード３７を設けたものがある（実開昭５８−８９５１６号公報、実開昭６２−１８７１２１号公報、特開昭６３−２７６５５号公報、特開平１−１２９４１９号公報、特開平１−２１０５６２号公報参照）。図中、３８、３９は耐水性ボード３７の上下端のホルダーである。
【０００３】
また、上記押え材層３６は、図１２に示すように、格子状に目地材４０を配置し、この目地材４０により、寒暖による押え材層３６の伸縮に基づく割れを防止している。さらに、目地材４０は、その上面を押え材層３６と面一にする必要があり、図１１に示すように、その上部にキャップ４１を被せ、このキャップ４１を上下動して押え材層３６と面一になるようにしている。
【０００４】
この防水構造において、図１３に示すように、立ち上がり部３４と押え材層３６の境目、すなわち入隅Ｃに何の緩衝構造も施さないと、押え材層３６の膨張による加圧力Ｐが立ち上がり防水層３３ｂに直接にかかることとなる。例えば、５０℃の温度変化が生じた際の膨張に基づくその圧力Ｐは１０５ton ／ｍ2 程度となる。このため、その圧力Ｐによって防水層３３ｂが圧縮されたり、突き上げられたりして、破損する場合が多かった。
【０００５】
この破損を防止する手段として、図１１に示すように上記入隅Ｃにも目地材４２を介在することが行われている（実開平１−１２９４１９号公報、特開平１−２１０５６２号公報等参照）。
【０００６】
ここで、例えば、３０倍発泡（独立気泡）のポリエチレン（ＰＥ）では、１０％圧縮時（４０mm厚みで４mm圧縮）、その圧縮強度：０．６kg／cm2 （６ton ／ｍ2 ）、２５％圧縮時（４０mm厚みで１０mm圧縮）、同１kg／cm2 （１０ton ／ｍ2 ）である。
【０００７】
したがって、上述の目地材４２を介在しない場合は、５０℃の温度変化があれば、圧力Ｐ：１０５ton ／ｍ2 が全て防水層３３ｂに加わるのに対し、目地材４２を介在すれば、１０％圧縮で６ton ／ｍ2 、２５％圧縮で１０ton ／ｍ2 となり、後者の場合、その目地材４２の緩衝作用により上記加圧力Ｐは緩和されて上記防水層３３ｂの破損の恐れは極力少なくなる。
【０００８】
【発明が解決しようとする課題】
ところで、防水層３３ａ、３３ｂがアスファルトのみと仮定した場合、その圧縮による厚みの変化とその強度及び時間の関係は、一般的に下記のステファンの式(1)によって導き出される。
【０００９】
【数１】
0003637134.tif 000002
【００１０】
この式（１）から、５mm厚の防水層３３ｂの圧縮強度を概算すると、目地材４２が３０倍発泡のＰＥで２５％圧縮の場合、Ｐが１０ton ／ｍ2 であり、約２００日で防水層３３ｂは２．５mm厚に半減し、１０％圧縮の場合、Ｐ：６ton ／ｍ2 であり、約３００日で半減する。
【００１１】
この防水層３ｂの圧縮は経時的に繰り返して行われ、その繰り返し度数及び圧縮度が大きければ大きいほど、防水層３３ｂの劣化を招く。このため、目地材４２にはその緩衝作用が大きいものであればあるほどよい。
【００１２】
しかしながら、図１１から明らかなように、従来の目地材４０、４２は、発泡ＰＥ、発泡ポリスチレン（ＰＳ）、発泡ポリウレタン（ＰＵ）などの単体から成っている。このため、発泡度を高めれば、柔らかくなって緩衝効果を増大させることができる反面、剛性（保形性）がなくなり、保形が維持されにくく、作業性の低下を招く。
【００１３】
この発明は、このような実情の下、保形性を保持しつつ緩衝作用を向上させることを課題とする。
【００１４】
【課題を解決するための手段】
上記課題を解決するため、この発明は、コンクリート層内に介在される目地材であって、緩衝材からなる目地本体の側面全域に亘って保形層を形成した構成としたのである。
【００１５】
この目地材の構成は、▲１▼その目地本体と保形層が同質の発泡樹脂からなって、目地本体の発泡倍率を保形層のそれより大きくしたもの、▲２▼その目地本体と保形層を硬度の異なる異質の樹脂から成したもの、▲３▼その目地本体を発泡樹脂、保形層を金属板、無機質板又は硬質樹脂板によりそれぞれなしたもの、などとし得る。
【００１６】
また、陸屋根の防水構造に係る発明においては、陸屋根の床部防水層に続き、床部からの立ち上がり部にも防水層を形成し、床部の防水層に押え材層を形成し、前記立ち上がり防水層下部と上記押え材層の間に上記各構成の目地材を介在した構成としたのである。
【００１７】
【作用】
このように構成するこの発明に係る発明は、保形層によって目地材の保形をし、目地本体によって、目地本来の緩衝作用を行う。このため、目地本体に十分な緩衝作用を発揮する材料を使用しても保形性は保持されて作業に支障は生じない。
【００１８】
この発明にかかる目地材を陸屋根の入隅に介在すれば、作業性を損なうことなく、立ち上がり防水層の経年劣化を減少させることができる。
【００１９】
【効果】
この発明は以上のように構成し、上述の作用をなすので、作業性を損なうことなく、緩衝効果のより高いものとなり、立ち上がり防水層の破損も極力少なくし得る。
【００２０】
【発明の実施の形態】
図１に示す実施例は、陸屋根床部２の入隅Ｃに目地材１０を介在したものである。従来と同様に、陸屋根１の床部２及び立ち上がり部４にアスファルト塗りの防水層３ａ、３ｂがそれぞれ形成され、床部防水層３ａ上にはコンクリート層５からなる押え材層が設けられている。その押え材層５の入隅Ｃに目地材１０が介在され、この目地材１０は、４０〜５０倍発泡又は連続発泡のＰＥ、ＰＵ、ＥＰＤＭ（エチレン−プロプレン−ジエンゴム）などの目地本体１０ａとその側面に貼着した従来の３０倍発泡のＰＥ又はＰＵの層１０ｂとから成る。このため、その外側の層１０ｂが保形層の役目を果し、施工の際には、目地材１０の設置状態をその保形層１０ｂで維持し、その施工に支障はない。立ち上がり防水層３ｂの前面は従来と同様に耐水性ボードなどによって保護する。
【００２１】
この入隅Ｃにおいて、いま、同図ａに示すように、温度上昇によって押え材層５が膨張し、目地材１０に圧縮力Ｐが働くと、同図ｂに示すように、その圧縮力Ｐの多くを目地本体１０ａ側が吸収して目地材１０は収縮し、その緩衝作用をなす。
【００２２】
このとき、立ち上がり防水層３ｂの傾斜部には目地本体１０ａが多く接していないが、真直ぐな防水層３ｂに比べれば、圧縮力Ｐも傾斜面ゆえに小さく、支障はない。しかし、この傾斜部全面にも緩衝効果の高い目地本体１０ａを接するようにすることが好ましい（図２参照）。
【００２３】
目地材１０の構成としては、同質の樹脂で、その発泡度合を変えたり、又、同一発泡度合でも異質の樹脂として、一方１０ａで緩衝作用、他方１０ｂで保形作用を担うようにしてもよい。この場合、保形層１０ｂも少なからず、緩衝作用を行う。
【００２４】
また、保形性の優れたものとして、硬質樹脂板、金属板を挙げることができ、その硬質樹脂、金属によって、図２乃至図４に示すように保形層１０ｂを形成したものとし得る。保形層１０ｂには、図５、図６に示すように、押え材層５に食い込むリブ１１を設けるとよい。
【００２５】
目地材１０は、２層１０ａ、１０ｂに限らず、図７乃至図１０に示すように３層、又はそれ以上の層のものとし得る。さらに、図１０に示すように、従来と同様にキャップ１２を被し得る。このとき、キャップ１２は同図のごとく中央を没した上面Ｖ字状とすれば、幅方向の収縮がなされ易い。
【００２６】
なお、図３乃至図１０に示す目地材１０は、図１１、図１２の目地材４０としても使用でき、有効な緩衝効果を得ることができる。
【００２７】
また、請求の範囲において、保形層１０ｂは目地本体１０ａ側面全域に亘って形成している、としているが、その全面は、保形を維持し得る範囲であれば、例えば横方向に連続していない場合などの字句どおりの全域以外のものも含む。
【図面の簡単な説明】
【図１】一実施例の作用説明図
【図２】目地材の他の実施例の断面図
【図３】目地材の他の実施例の断面図
【図４】目地材の他の実施例の断面図
【図５】目地材の他の実施例の断面図
【図６】目地材の他の実施例の断面図
【図７】目地材の他の実施例の断面図
【図８】目地材の他の実施例の断面図
【図９】目地材の他の実施例の断面図
【図１０】目地材の他の実施例の断面図
【図１１】陸屋根床部の防水構造の概略図
【図１２】目地材の施工説明図
【図１３】従来例の作用説明図
【符号の説明】
１  陸屋根
２、３２  床部
３ａ、３３ａ  床部防水層
３ｂ、３３ｂ  立ち上がり防水層
４、３４  立ち上がり部
５、３６  押え材層（コンクリート層）
１０  目地材
１０ａ  目地本体（緩衝層）
１０ｂ  保形層
１１  リブ
１２  キャップ
３７  耐水性ボード
４０、４２  目地材
【図１】
0003637134.tif 000003
【図２】
0003637134.tif 000004
【図３】
0003637134.tif 000005
【図４】
0003637134.tif 000006
【図５】
0003637134.tif 000007
【図６】
0003637134.tif 000008
【図７】
0003637134.tif 000009
【図８】
0003637134.tif 000010
【図９】
0003637134.tif 000011
【図１０】
0003637134.tif 000012
【図１１】
0003637134.tif 000013
【図１２】
0003637134.tif 000014
【図１３】
0003637134.tif 000015